Podtech/llm-jp-corpus-v4-ja_patent huggingface dataset:
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
吸収性複合ウェブを製造する方法であって、
第１の超吸収性ポリマー先駆体組成物を準備し、
複数の吸収性の親水性繊維を含むあらかじめ形成された繊維性ウェブを準備し、
非接触印刷法を用いて前記第１の超吸収性ポリマー先駆体組成物を前記繊維性ウェブに加え、
前記繊維性ウェブ上又は該繊維性ウェブ内において、前記第１の超吸収性ポリマー先駆体組成物を化学反応させて、乾燥直径が１０ないし１０００ミクロンであり、５０から４０００ミクロンの距離をもって繊維表面に付着する主に粒子からなる超吸収性ポリマーを形成し、該超吸収性ポリマーが前記吸収性複合ウェブの１から７５重量％であるようにすることを特徴とする方法。
【請求項２】
第２の超吸収性ポリマー先駆体組成物を準備し、
非接触法を用いて前記第２の超吸収性ポリマー先駆体組成物を前記繊維性ウェブに加え、
前記繊維性ウェブ上又は該繊維性ウェブ内において、前記第１および第２の超吸収性ポリマー先駆体組成物を共に化学反応させて、超吸収性ポリマーを形成する段階をさらに含むことを特徴とする請求項１に記載の方法。
【請求項３】
前記第１及び第２の超吸収性ポリマー先駆体組成物は前記繊維性ウェブに分離して加えられることを特徴とする請求項２に記載の方法。
【請求項４】
前記第１超吸収性ポリマー先駆体組成物はモノマーを含んでおり、前記第２超吸収性ポリマー先駆体組成物は重合体開始剤を含むものであることを特徴とする請求項３に記載の方法。
【請求項５】
前記重合開始剤がレドックス系からなることを特徴とする請求項４に記載の方法。
【請求項６】
前記モノマーが、脂肪族不飽和モノカルボン酸及びその塩、メタクリル酸及びその塩、不飽和ジカルボン酸及びその塩、及びこれらの組み合わせからなる群から選択された化合物を含む請求項４に記載の方法。
【請求項７】
前記モノマーがアクリル酸及びその塩、メタクリル酸及びその塩、及びこれらの組み合わせからなる群から選択された化合物を含む請求項４に記載の方法。
【請求項８】
前記第１超吸収性ポリマー先駆体組成物が１０から１０００ミクロンの微小滴として適用されることを特徴とする請求項１から７のいずれかに記載の方法。
【請求項９】
前記微小滴の直径は５０から５００ミクロンであることを特徴とする請求項８に記載の方法。
【請求項１０】
前記微小滴が５から１０００センチポイズの粘度を有することを特徴とする請求項８に記載の方法。
【請求項１１】
前記微小滴が１０から５００センチポイズの粘度を有することを特徴とする請求項８に記載の方法。
【請求項１２】
前記微小滴が２０から１００センチポイズの粘度を有することを特徴とする請求項８に記載の方法。
【請求項１３】
前記吸収性親水性繊維がセルロース繊維からなることを特徴とする請求項１から７のいずれかに記載の方法。
【請求項１４】
前記あらかじめ形成された繊維ウェブが熱可塑性繊維からなることを特徴とする請求項１から７のいずれかに記載の方法。
【請求項１５】
前記出発のウェブが６０から９０重量％のセルロース繊維と１０から４０重量％の熱可塑性繊維とからなることを特徴とする請求項１４に記載の方法。
【請求項１６】
前記熱可塑性繊維はメルトブロー繊維からなることを特徴とする請求項１４に記載の方法。
【請求項１７】
前記熱可塑性繊維はスパンボンド繊維からなることを特徴とする請求項１４に記載の方法。
【請求項１８】
前記超吸収性ポリマーが、ポリ（アクリル酸）及びポリ（メタアクリル酸）のアルカリ金属及びアンモニウム塩、ポリ（アクリルアミド）、ポリ（ビニルエーテル）、ビニルエーテルとアルファオレフィンとの無水マレイン酸コポリマー、ポリ（ビニルピロリドン）、ポリ（ビニルモルフォリノン）、ポリ（ビニルアルコール）及びこれらの混合物から選択されたポリマーを含むことを特徴とする請求項１から７のいずれかに記載の方法。
【請求項１９】
前記超吸収性ポリマーが前記吸収性複合材ウェブの１５から６５重量を構成するものであることを特徴とする請求項１から７のいずれかに記載の方法。
【請求項２０】
前記超吸収性ポリマーが前記吸収性複合ウェブの２０から５０重量％を構成するものであることを特徴とする請求項１から７のいずれかに記載の方法。
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
有孔被加工物に１つまたは複数の有孔部材を締結する方法であって、前記部材または各部材の開口部は、前記被加工物の開口部と位置合わせされ、該方法は、
前記位置合わせされた開口部に締結具を挿入するステップであって、前記締結具は、延性材料からなり、頭部、軸部、および該軸部を通って前記頭部に延びている軸孔を有し、前記軸部は、円周方向全体に雄ねじ山が切られ、前記締結具は、前記頭部が前記１つの部材の面と係合し、前記軸部が、前記１つの部材または前記複数の部材内を通って前記被加工物内に延び、前記ねじ山の少なくとも一部が、前記被加工物内にあるように、締結具を挿入するステップと、
前記頭部で前記締結具を支持するとともに、
テーパ状に拡大したマンドレルヘッドであって、このマンドレルヘッドと前記締結具の頭部での前記支持との間で、前記締結具の前記軸部を軸方向に圧縮でき、かつ、前記孔を拡張できるマンドレルヘッドを、
尾部から前記頭部の方向に、前記孔内に引き入れ、かつ前記孔から完全に引き抜くステップとを含み、
それにより、前記孔の長さにわたって均一に前記孔を拡大させ、かつ、前記雄ねじ山を前記被加工物内に陥入するのに十分なだけ前記軸部を半径方向に拡張させ、および前記締結具の前記軸部の長さを軸方向に短縮させる、有孔被加工物に１つまたは複数の有孔部材を締結する方法。
【請求項２】
前記締結具の前記軸部の前記雄ねじ山の一部分が前記被加工物内に陥入した後、長さが軸方向に短縮する請求項１に記載の締結する方法。
【請求項３】
前記締結具の前記軸部の前記雄ねじ山の一部分が前記被加工物内に陥入した後、前記軸部が軸方向に圧縮する請求項１に記載の締結する方法。
【請求項４】
適するならば、前記ねじ山部分が前記被加工物と係合した後、前記締結具の前記頭部の１つまたは複数の半径方向外側部分を前記軸部の前記尾部の方向に移動させるように、前記締結具の前記頭部を変形させ、
それによって、１つの部材と、他の部材または前記被加工物との間の間隙を詰め、
および／または、
前記の一つが変形可能であれば、それを変形させ、それによって、前記締結具の前記頭部と前記被加工物の間で前記他の部材をしっかり締着することを含む、請求項１に記載の締結する方法。
【請求項５】
前記締結具を拡張するとともに、前記孔の断面形状をその最初の形状から複数のレンチ面を呈する多角形キーイング形状に変え、それによって、キーイング係合及び、拡張後に、適したレンチ工具により前記締結具を回転させることを可能にすることを含む、請求項１に記載の締結する方法。
【請求項６】
前記多角形キーイング形状は正六角形状である、請求項５に記載の締結する方法。
【請求項７】
前記締結具の前記軸部の前記半径方向の拡張は、前記軸部のねじ山の前記被加工物への食い込みの程度が前記ねじ山の全高の半分以下であるようにする、請求項１〜６のいずれか一項に記載の締結する方法。
【請求項８】
請求項１〜７のいずれか一項に記載の方法により達成される締結。
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
ａ．少なくとも１つの多孔性気体透過性不透水性層と、
ｂ．気体を前記部分ａの層に運ぶことができるフローチャネルを形成する複数のレール又は畝がある側を有するベースを含む、前記部分ａの層に近接した気体送出層とを含む層状シート構造体。
【請求項２】
前記部分ａの層が、疎油性であるか、改良された疎油性を有し、次の特徴、すなわち、
ｉ．任意に硬化性であるフルオロケミカルまたはフルオロポリマーを含む組成物のコーティング、
ｉｉ．気体フッ素化種の存在下で電離放射線またはプラズマ放電によって処理された表面、
ｉｉｉ．前記気体透過性不透水性層の組成物中のフルオロケミカル添加剤、または
ｉｖ．ポリジメチルシロキサンのコーティング
のうちの少なくとも１つを有する、請求項１に記載の層状シート構造体。
【請求項３】
前記部分ａの層の、前記気体送出層と反対側に配置された、前記部分ａの層に近接した少なくとも１つの微生物支持層をさらに含む、請求項１又は２に記載の層状シート構造体。
【請求項４】
少なくとも１つの有機物質または少なくとも１つの窒素源を、そのような源を含有する水性媒体から除去する方法であって、
ａ．請求項１、２又は３に記載の少なくとも１つの層状シート構造体を提供する工程と、
ｂ．前記部分の層上または層内あるいは前記層状シート構造体の微生物支持層上または前記微生物支持層内に微生物層を確立する工程と、
ｃ．前記層状シート構造体の気体送出層に気体を供給する工程と、
ｄ．前記水性媒体を前記微生物層と接触させる工程とを含む方法。
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
雌型管セクションの端部部分内に受容されて重なる端部部分を有する雄型管セクションから構成された管セクションをハイドロフォーミングする方法であって、
前記雄型管セクションと前記雌型管セクションとの間に画定された環状空間内に配置された接着剤を硬化させる工程と、
結果として生じる前記管セクションを所望の形状にハイドロフォーミングする工程とを含む、方法。
【請求項２】
複数の金属フレームコンポーネントをバードケージ構造に配列して、隣接したコンポーネントの重なり部分で画定された複数の接合部を画定する工程であって、前記接合部の各々が、前記隣接したコンポーネントの重なり部分の間に形成された円周空間を含む、工程と、
前記環状空間の各々に接着剤を注入する工程と、
前記接着剤を硬化させる工程と、
前記バードケージ構造を所望の形状にハイドロフォーミングする工程とを含む、複合フレーム構造を形成する方法。
【請求項３】
雌型管部分および雄型管部分であって、前記雌型管部分の一部が前記雄型管部分の一部の周りに配置される、雌型管部分および雄型管部分と、
前記雄型管部分および前記雌型管部分の少なくとも一方に形成され、前記雄型管部分と前記雌型管部分との間に環状領域を形成する溝と、
前記雄型管部分と前記雌型管部分との間の前記環状領域に配置されて接合部を形成する、硬化した接着剤と、を含むハイドロフォーミング可能な物品であって、
前記物品が最終形状に形成されたときに、前記接合部は、ハイドロフォーミングプロセスにおいて実質的に耐漏れ性であるとともに、構造部材として使用されるべき十分な強度、耐疲労性及び耐久性を備える、ハイドロフォーミング可能な物品。
【請求項４】
前記接着剤の剪断降伏強度は、ハイドロフォーミングプロセスにおけるハイドロフォーミング圧力以上である、請求項３に記載のハイドロフォーミング可能な物品。
【請求項５】
雌型管部分および雄型管部分であって、前記雌型管部分の一部が前記雄型管部分の一部の周りに配置されて接合部を形成する、雌型管部分および雄型管部分と、
前記雄型管部分および前記雌型管部分の少なくとも一方に形成され、前記雄型管部分と前記雌型管部分との間に環状領域を形成する溝と、
前記雄型管部分と前記雌型管部分との間の前記環状領域に配置された硬化した接着剤と、を含むハイドロフォーミングされた物品であって、
前記雌型管部分および前記雄型管部分が、ハイドロフォーミングによって永久的に変形させられている、ハイドロフォーミングされた物品。
【請求項６】
前記雌型管部分および前記雄型管部分に加え、前記硬化した接着剤もハイドロフォーミングによって永久的に変形させられている、請求項５に記載のハイドロフォーミングされた物品。
【請求項７】
請求項３〜６のいずれか１項に記載の物品を有する、自動車の構造フレーム部材。
【請求項８】
請求項７に記載の構造フレーム部材を複数有する、バードケージフレーム構造。
【請求項９】
請求項３〜６のいずれか１項に記載の物品を有する、自動車。
【手続補正２】
【補正対象書類名】明細書
【補正対象項目名】００３５
【補正方法】変更
【補正の内容】
【００３５】
図５および図６は、本発明のさらなる実施形態を示し、雄型１４管および雌型１２管の各々は、凹部（それぞれ、１８、１６）を含むが、これらの凹部は、互いに対してずれるように配置されている。したがって、各凹部（１８、１６）は、環状領域２０、２１を形成する。この場合、環状領域２０及び２１の各々は、各々を充填できるように、個別の接着剤入口穴２２および出口穴２４を有する。本発明に関して、雄型管および雌型管が各々、１以上の環状領域を形成するために、１以上の凹部を含むことができることが理解されるべきである。これらの凹部は、対向する管の凹部と整列させることができるか、代わりに、どの対向する凹部とも整列させないことができ、したがって、付加的な環状領域を生じさせることができる。代わりに、管のいずれか一方が、他方の管が少なくとも１つの凹部を含む場合、凹部がなくてもよい（図３および図４に示されているように）。
【手続補正書】
【提出日】平成17年10月24日(2005.10.24)
【手続補正１】
【補正対象書類名】特許請求の範囲
【補正対象項目名】全文
【補正方法】変更
【補正の内容】
【特許請求の範囲】
【請求項１】
基板と記録層とを備える光学記録媒体であって、
前記記録層は、下式の錯体を含み、
【化１】
2005511344.tif 000001
式中、
Ｑ2-は、式
【化２】
2005511344.tif 000002
の配位子又はそれらの互変異性体であり、
Ｒ1、Ｒ2、Ｒ3、Ｒ4、Ｒ5、Ｒ6、Ｒ7及びＲ8はそれぞれ他と独立して、Ｈ、ハロゲン、シアノ、ＣＯＯＲ9、ＣＯＮＨＲ9、ＣＯＮＲ9Ｒ10、Ｒ9、ＯＲ9、ＳＲ9、ＮＨＲ9又はＮＲ9Ｒ10であり、ここで、Ｒ9及びＲ10はそれぞれ他と独立して、Ｃ6〜Ｃ10アリール、Ｃ4〜Ｃ9ヘテロアリール又は直鎖若しくは分枝のＣ1〜Ｃ24アルキル、Ｃ3〜Ｃ24シクロアルキル、Ｃ2〜Ｃ24アルケニル、Ｃ3〜Ｃ24シクロアルケニル、Ｃ2〜Ｃ24アルキニル、Ｃ1〜Ｃ12ヘテロシクロアルキル、Ｃ1〜Ｃ12ヘテロシクロアルケニル、Ｃ7〜Ｃ24アラルケニル又はＣ7〜Ｃ24アラルキルであり、これらの各々は置換されていなくても置換されていてもよく、また、Ｒ1及びＲ2、Ｒ3及びＲ4、Ｒ5及びＲ6、並びにＲ7及びＲ8は互いに独立して、直接結合によって、又はＯブリッジ若しくはＳブリッジを介して結合することが可能であり、
Ｍm+は、ｄ殻を占める最外殻に５又は６個の電子を有する遷移金属カチオンであり、
Ｌ1は、サブ構造Ｎ−Ｃ、Ｐ−Ｃ又はＡｓ−Ｃを有する配位子であり、
Ｌ2はＬ1と独立して、少なくとも１個のヘテロ原子Ｎ、Ｐ、Ａｓ、Ｏ、Ｓ、Ｓｅ又はＴｅを含むさらなる配位子であり、
Ｌ3-は、ＣＮ-、ＳＣＮ-、ＮＣＳ-、ＯＣＮ-、ＮＣＯ-、Ｎ3-、Ｌ1−Ｏ-、Ｌ1−Ｓ-、Ｌ1−ＣＯ2-、Ｌ1−ＳＯ3-、又はＬ1−ＰＯ3-であり、
Ｌ4-はＬ3-と独立して、ＣＮ-、ＳＣＮ-、ＮＣＳ-、ＯＣＮ-、ＮＣＯ-、Ｎ3-、Ｌ3−Ｏ-、Ｌ3−Ｓ-、Ｌ3−ＣＯ2-、Ｌ3−ＳＯ3-、又はＬ3−ＰＯ3-であり、
ｐ及びｑはそれぞれ他と独立して、０又は１の数であり、
【化３】
2005511344.tif 000003
はそれぞれ対イオンであり、ｍは、Ｍm+の陽電荷に等しい１、２、３、又は４の数であり、ｎは、−２、−１、＋１又は＋２の数であり、その結果、商
【化４】
2005511344.tif 000004
は負ではない、光学記録媒体。
【請求項２】
請求項１に記載の式
【化５】
2005511344.tif 000005
の記録媒体であって、
Ｌ3-及びＬ4-が、
【化６】
2005511344.tif 000006
が一級、二級、三級、又は四級アンモニウムである、記録媒体。
【請求項３】
Ｌ1が式Ｒ15−Ｎ+≡Ｃ-のイソニトリルであり、式中、Ｒ15は、置換されていないか又は置換されており、直鎖若しくは分枝のＣ1〜Ｃ24アルキル、Ｃ3〜Ｃ12シクロアルキル、Ｃ7〜Ｃ24アラルキル、Ｃ6〜Ｃ10アリール又はＣ4〜Ｃ9ヘテロアリールである、請求項１又は２に記載の記録媒体。
【請求項４】
請求項１、２又は３に記載の記録媒体が使用される、情報を光学的に記録、格納及び再生する方法。
【請求項５】
２−メトキシエタノール、ｎ−プロパノール、イソプロパノール、イソブタノール、ｎ−ブタノール、アミルアルコール、３−メチル−１−ブタノール、２，２，２−トリフルオロエタノール、２，２，３，３−テトラフルオロ−１−プロパノール、ジブチルエーテル、２，６−ジメチル−４−ヘプタノン、５−メチル−２−ヘキサノン、トルエン、キシレン、２，６−ジメチル−４−ヘプタノン及びそれらの混合物から選択される有機溶媒に溶解される、請求項１に記載の式
【化７】
2005511344.tif 000007
の錯体を含む基板組成物。
【請求項６】
請求項５に記載の基板組成物が、１つ以上の凹部を有する基板にスピンコーティングすることによって塗布される、光学記録媒体を製造する方法。
【請求項７】
情報を光学的に格納するための請求項１に記載の式
【化８】
2005511344.tif 000008
の錯体の使用。
【請求項８】
式
【化９】
2005511344.tif 000009
の錯体であって、
式中、Ｑ2-は、式
【化１０】
2005511344.tif 000010
又はそれらの互変異性体であり、
Ｒ1、Ｒ2、Ｒ3、Ｒ4、Ｒ5、Ｒ6、Ｒ7及びＲ8はそれぞれ他と独立して、Ｈ、ハロゲン、シアノ、ＣＯＯＲ9、ＣＯＮＨＲ9、ＣＯＮＲ9Ｒ10、Ｒ9、ＯＲ9、ＳＲ9、ＮＨＲ9又はＮＲ9Ｒ10であり、ここで、Ｒ9及びＲ10はそれぞれ他と独立して、Ｃ6〜Ｃ10アリール、Ｃ4〜Ｃ9ヘテロアリール又は直鎖若しくは分枝のＣ1〜Ｃ24アルキル、Ｃ3〜Ｃ24シクロアルキル、Ｃ2〜Ｃ24アルケニル、Ｃ3〜Ｃ24シクロアルケニル、Ｃ2〜Ｃ24アルキニル、Ｃ1〜Ｃ12ヘテロシクロアルキル、Ｃ1〜Ｃ12ヘテロシクロアルケニル、Ｃ7〜Ｃ24アラルケニル又はＣ7〜Ｃ24アラルキルであり、これらの各々は置換されていなくても置換されていてもよく、また、Ｒ1及びＲ2、Ｒ3及びＲ4、Ｒ5及びＲ6、並びにＲ7及びＲ8は互いに独立して、直接結合によって、又はＯブリッジ若しくはＳブリッジを介して結合することが可能であり、
Ｍm+は、ｄ殻を占める最外殻に５又は６個の電子を有する遷移金属カチオンであり、
Ｌ1は、サブ構造Ｎ−Ｃ、Ｐ−Ｃ又はＡｓ−Ｃを有する配位子であり、
Ｌ2はＬ1と独立して、少なくとも１個のヘテロ原子Ｎ、Ｐ、Ａｓ、Ｏ、Ｓ、Ｓｅ又はＴｅを含むさらなる配位子であり、
Ｌ3-は、ＣＮ-、ＳＣＮ-、ＮＣＳ-、ＯＣＮ-、ＮＣＯ-、Ｎ3-、Ｌ1−Ｏ-、Ｌ1−Ｓ-、Ｌ1−ＣＯ2-、Ｌ1−ＳＯ3-、又はＬ1−ＰＯ3-であり、
Ｌ4-はＬ3-と独立して、ＣＮ-、ＳＣＮ-、ＮＣＳ-、ＯＣＮ-、ＮＣＯ-、Ｎ3-、Ｌ3−Ｏ-、Ｌ3−Ｓ-、Ｌ3−ＣＯ2-、Ｌ3−ＳＯ3-、又はＬ3−ＰＯ3-であり、
ｐ及びｑはそれぞれ他と独立して、０又は１の数であり、
【化１１】
2005511344.tif 000011
はそれぞれ対イオンであり、ｍは、Ｍm+の陽電荷に等しい１、２、３、又は４の数であり、ｎは、−２、−１、＋１又は＋２の数であり、その結果、商
【化１２】
2005511344.tif 000012
は負ではなく、ただし、以下
Ｒ1、Ｒ2、Ｒ3、Ｒ4、Ｒ5、Ｒ6、Ｒ7及びＲ8は全てフェニルであり、ＭはＦｅ（ＩＩ）、Ｒｕ（ＩＩ）又はＯｓ（ＩＩ）であり、Ｌ1及びＬ2はともにピリジンであるか、又は
Ｒ1、Ｒ2、Ｒ3、Ｒ4、Ｒ5、Ｒ6、Ｒ7及びＲ8は全てフェニル又はｐ−ｔｅｒｔ−ブチル−フェニルであり、ＭはＦｅ（ＩＩ）であり、Ｌ1及びＬ2はピラジン、ｔｅｒｔ−ブチルイソシアニド、シクロヘキシルイソシアニド、フェニルイソシアニド又は２，３，５，６−テトラメチルジイソシアノベンゼンである、
を除く、錯体。
【請求項９】
３５０〜６２０ｎｍの範囲で最大吸収（λmax）を示し、他の発色団に対する式（Ｉａ）、（Ｉｂ）又は（Ｉｃ）の化合物の重量比が１：９９〜９９：１、好ましくは、１：９５〜９５：１、特に３０：７０〜７０：３０、さらに特定的には４０：６０〜６０：４０である、請求項１に記載の式（Ｉａ）、（Ｉｂ）又は（Ｉｃ）の化合物および別の発色団を固体形態で含む基板組成物。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
ポリカーボネートを含有する層とコポリエステルを含有する層を含む多層製品であって、
コポリエステルの繰り返し単位はジカルボン酸とジオールから誘導され、
ジカルボン酸から誘導される繰り返し単位の５０〜１００モル％はテレフタル酸から誘導され、
０〜５０モル％はイソフタル酸から誘導され、かつ
０〜１０モル％は他のジカルボン酸から誘導され、
テレフタル酸から誘導される繰り返し単位とイソフタル酸から誘導される繰り返し単位、および他のジカルボン酸から誘導される繰り返し単位の量の合計は、１００モル％であり、
ジオールから誘導される繰り返し単位の０〜９７モル％はエチレングリコールから誘導され、
０〜９７モル％はシクロヘキサンジメタノールから誘導され、
０〜３モル％はジエチレングリコールから誘導され、かつ
０〜１０モル％は他のジオールから誘導され、
エチレングリコールから誘導される繰り返し単位とシクロヘキサンジメタノールから誘導される繰り返し単位、ジエチレングリコールから誘導される繰り返し単位、および他のジオールから誘導される繰り返し単位の量の合計は、１００モル％である多層製品。
【請求項２】
共押出による請求項１による多層製品の製造方法。
【請求項３】
請求項１および２のいずれか１つによる多層製品を含む製品。
【請求項４】
窓ガラス、保護スクリーン、温室、ヴェランダ、駐車場、バスシェルター、広告板、ディスプレイケース、窓、パーテーション、支払いブース、検査ガラス、ディスプレイおよび屋根ふき材からなる群から選択される請求項３による製品。
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
支持体と、その上の一つ以上のコーティング層とを含み、少なくとも一つのコーティング層が両性イオン性ポリマー又はオリゴマーを含み、両性イオン性ポリマー又はオリゴマーが、少なくとも１種の非イオン性モノマー及び少なくとも１種の両性イオン性モノマーから誘導され、両性イオン性モノマーは、式：
【化１】
2005511343.tif 000001
（式中、
Ｌ+は、式
【化２】
2005511343.tif 000002
の基であり；
Ｌ-は、式
【化３】
2005511343.tif 000003
の基であり；
Ｚ-は、−ＣＯ2-、−ＳＯ3-、
【化４】
2005511343.tif 000004
であり；
Ｚ+は、−Ｎ+Ｒ5Ｒ6Ｒ7であり；
Ｒ1及びＲ8は、独立して、水素又はメチルであり；
Ｗ+は、−Ｓ+Ｒ3−又は−Ｎ+Ｒ2Ｒ3−であり；
Ｗ-は、
【化５】
2005511343.tif 000005
であり；
Ｙ1及びＹ2は、独立して、−Ｏ−又は−ＮＲ2から選択し；
Ｒ2、Ｒ3、Ｒ4、Ｒ5、Ｒ6及びＲ7は、独立して、水素及び炭素原子１〜４個の直鎖状又は分岐鎖状のアルキルから選択し；
ｍは、２又は３であり、
ｎは、１〜５である）
から選択し；
非イオン性モノマーが、アクリルアミドであり、かつ随意に更に非イオン性モノマーが、メタクリルアミド、Ｎ−メチルアクリルアミド、Ｎ，Ｎ−ジメチル（メタ）アクリルアミド、Ｎ−イソプロピル（メタ）アクリルアミド、Ｎ−（２−ヒドロキシプロピル）メタクリルアミド、Ｎ−メチロールアクリルアミド、Ｎ−ビニルホルムアミド、Ｎ−ビニルアセトアミド、Ｎ−ビニル−Ｎ−メチルアセトアミド、ポリ（エチレングリコール）（メタ）アクリレート、ポリ（エチレングリコール）モノメチルエーテルモノ（メタ）アクリレート、Ｎ−ビニル−２−ピロリドン、グリセロールモノ（（メタ）アクリレート）、２−ヒドロキシエチル（メタ）アクリレート、ビニルメチルウルホン、ビニルアセテート、ジアセトンアクリルアミド、アクリレート及びメタクリレートエステル及び酸ならびに関連するモノマーからなる群より選択して存在する、インクジェット記録媒体材料。
【請求項２】
両性イオン性モノマーが、式
【化６】
2005511343.tif 000006
のモノマーから選択する、請求項１記載の記録媒体系。
【請求項３】
両性イオン性モノマーが、
Ｎ，Ｎ−ジメチル−Ｎ−アクリロイルオキシエチル−Ｎ−（３−スルホプロピル）−アンモニウムベタイン、
Ｎ，Ｎ−ジメチル−Ｎ−アクリルアミドプロピル−Ｎ−（２−カルボキシメチル）−アンモニウムベタイン、
Ｎ，Ｎ−ジメチル−Ｎ−メタクリロイルオキシエチル−Ｎ−（３−スルホプロピル）−アンモニウムベタイン、
Ｎ，Ｎ−ジメチル−Ｎ−メタクリルアミドプロピル−Ｎ−（３−スルホプロピル）−アンモニウムベタイン、
２−（メチルチオ）エチルメタクリロイル−Ｓ−（スルホプロピル）−スルホニウムベタイン、
２−［（２−アクリロイルエチル）ジメチルアンモニオ］エチル２−メチルホスフェート、
２−（アクリロイルオキシエチル）−２′−（トリメチルアンモニウム）エチルホスフェート及び
［（２−アクリロイルエチル）ジメチルアンモニオ］メチルホスホン酸
からなる群より選択する、請求項１又は２記載の記録媒体系。
【請求項４】
両性イオン性ポリマー又はオリゴマーが、アクリルアミドと、Ｎ，Ｎ−ジメチル−Ｎ−メタクリルアミドプロピル−Ｎ−（３−スルホプロピル）−アンモニウムベタイン又はＮ，Ｎ−ジメチル−Ｎ−メタクリロイルオキシエチル−Ｎ−（３−スルホプロピル）−アンモニウムベタインとの両性イオン性コポリマー又はコオリゴマーである、請求項１記載の記録媒体系。
【請求項５】
支持体に直接付くコーティングを含み、コーティングが両性イオン性ポリマー又はオリゴマーを含む、請求項１記載の記録媒体材料。
【請求項６】
支持体と、
少なくとも一つのインクジェットインク受容層と
を含み、前記受容層の一つ以上が、両性イオン性ポリマー又はオリゴマーを含み、場合によっては、ゼラチン、デンプン、スチレンブタジエンゴムラテックス、ニトリルブタジエンゴムラテックス、ポリエチレングリコール、ポリアクリルアミド、ポリビニルアルコール、ビニルアルコール／酢酸ビニルコポリマー、メチルセルロース、ヒドロキシメチルセルロース、ヒドロキシエチルセルロース、ヒドロキシプロピルメチルセルロース、ヒドロキシプロピルエチルセルロース、ヒドロキシエチルメチルセルロース、カルボキシメチルセルロース、ポリ（Ｎ−ビニルピロリドン）及びカチオン性ポリマーからなる群より選択する少なくとも１種のポリマーをさらに含み、
場合によっては、支持体とインクジェットインク受容層との間のバリヤ層を含む、請求項１記載の記録媒体材料。
【請求項７】
支持体と、
少なくとも一つのインクジェットインク受容層と、
保護コーティング層と
を含み、インクジェットインク受容層又は保護コーティング層又は両方の層のいずれかが両性イオン性ポリマー又はオリゴマーを含み、
場合によっては、支持体とインクジェットインク受容層との間のバリヤ層を含む、請求項１記載の記録媒体材料。
【請求項８】
インクジェットインクをさらに含む、請求項１〜７のいずれか１項記載の記録媒体材料。
【請求項９】
非晶質シリカ、結晶質シリカ、アルミニウム三水和物、カオリン、タルク、白亜、ベントナイト、ゼオライト、ガラスビーズ、炭酸カルシウム、ケイ酸カリウムナトリウムアルミニウム、ケイ藻土、アルミニウムのケイ酸塩、マグネシウムのケイ酸塩、二酸化チタン、ポリオレフィン、ポリスチレン、ポリウレタン、デンプン、ポリ（メチルメタクリレート）及びポリテトラフルオロエチレンからなる群より選択する１種以上の顔料、填料又は有機粒状物をさらに含む、請求項１〜７のいずれか１項記載の記録媒体材料。
【請求項１０】
界面活性剤、帯電防止剤、増粘剤、沈殿防止剤、ｐＨ調整化合物、光安定剤、酸化防止剤、湿潤剤、静菌剤、架橋剤及び光学増白剤からなる群より選択する１種以上の添加物をさらに含む、請求項１〜７のいずれか１項記載の記録媒体材料。
【請求項１１】
前記支持体が、セルロースエステル、酢酸セルロース、ポリエステル、ポリスチレン、ポリエチレン、ポリ（酢酸ビニル）、ポリプロピレン、ポリカーボネート、ポリメタクリル酸ならびにメチル及びエチルエステル、ポリアミド、たとえばナイロンのようなもの、ポリエステル、たとえばポリ（エチレンテレフタレート）（ＰＥＴ）のようなもの、ポリイミド、ポリエーテル、ポリ塩化ビニル又はポリスルホンアミドを含む、請求項１記載の記録媒体材料。
【請求項１２】
前記支持体が紙又は透明なポリ（エチレン）テレフタレートである、請求項１記載の記録媒体材料。
【請求項１３】
ナノ孔質又は微孔質コーティング層を含む、請求項１記載の記録媒体材料。
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
プリントヘッドに結合され、抵抗値を表す複数のビットを記憶するメモリデバイスと、
前記メモリデバイスに記憶された前記複数のビットのうちの１以上を変更することにより抵抗値を調節することが可能な感熱抵抗素子と
からなるプリントヘッド。
【請求項２】
前記メモリデバイスにおいて前記複数のビットのうちの少なくとも１つがヒュージブルビットであり、該ヒュージブルビットを溶断することにより、前記感熱抵抗素子の抵抗値を調節することができる、請求項１に記載のプリントヘッド。
【請求項３】
前記感熱抵抗素子は、前記メモリデバイスの製造後に調節可能である、請求項１に記載のプリントヘッド。
【請求項４】
複数のヒュージブルビットがコンポーネント特異情報の少なくとも一部をさらに表す、請求項２に記載のプリントヘッド。
【請求項５】
複数のヒュージブルビットがペン特異情報をさらに表す、請求項２に記載のプリントヘッド。
【請求項６】
第１の抵抗値を有する感熱抵抗素子と、
前記第１の抵抗値を変更するために前記感熱抵抗素子に結合された抵抗値変更手段と、
前記第１の抵抗値を表す複数のヒュージブルビットを格納するメモリと
からなる交換式プリンタコンポーネント。
【請求項７】
前記複数のヒュージブルビットは、抵抗を溶断し前記第１の抵抗値を変更することにより設定される、請求項６に記載の交換式プリンタコンポーネント。
【請求項８】
前記抵抗変更手段は、前記感熱抵抗素子の一部を短絡させるための導体である、請求項６に記載の交換式プリンタコンポーネント。
【請求項９】
前記感熱抵抗素子は、複数の遷移領域を有する蛇行形状部を有する、請求項６に記載の交換式プリンタコンポーネント。
【請求項１０】
前記抵抗値変更手段は、前記感熱抵抗素子の一部を短絡させるために前記複数の遷移領域のうちの少なくとも１つの近くに配置された導体である、請求項９に記載の交換式プリンタコンポーネント。
【請求項１１】
前記複数のヒュージブルビットがコンポーネント特異情報の少なくとも一部をさらに表す、請求項６に記載の交換式プリンタコンポーネント。
【請求項１２】
前記複数のヒュージブルビットがペン特異情報をさらに表す、請求項６に記載の交換式プリンタコンポーネント。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
重車両用タイヤのようなタイヤのカーカス補強体の補強に使用できる、テクスタイルラップを備えた金属ケーブルにおいて、前記テクスタイルラップは、芳香族サーモトロピックポリエステルまたはポリエステルアミドで形成で形成されていることを特徴とする金属ケーブル。
【請求項２】
前記ラップはモノフィラメントで形成されていることを特徴とする請求項１に記載の金属ケーブル。
【請求項３】
前記ラップは１８０ｃＮ／ｔｅｘより大きい靭性を有することを特徴とする請求項１または２に記載の金属ケーブル。
【請求項４】
前記ラップは３５００ｃＮ／ｔｅｘより大きい初期モジュラスを有することを特徴とする請求項１〜３のいずれか１項に記載の金属ケーブル。
【請求項５】
前記ラップは３〜５．５ｍｍのピッチでケーブルの外面上に巻回されていることを特徴とする請求項１〜４のいずれか１項に記載の金属ケーブル。
【請求項６】
金属ケーブルは多層形式であり、前記ケーブルは、Ｌ本のワイヤ（単一または複数）からなる内側層で形成され、該内側層は、可能ならばＮ本のワイヤからなる外側層により包囲されたＭ本のワイヤからなる少なくとも１つの層により包囲された、公式（Ｌ＋Ｍ）または（Ｌ＋Ｍ＋Ｎ）を満たし、Ｌは１〜４まで変化し、Ｍは３〜１２まで変化し、Ｎは８〜２０まで変化することを特徴とする請求項１〜５のいずれか１項に記載の金属ケーブル。
【請求項７】
前記内側層は、前記ケーブルが公式（１＋Ｍ）または（１＋Ｍ＋Ｎ）を満たすように、単一の真直ワイヤで形成されていることを特徴とする請求項６に記載の金属ケーブル。
【請求項８】
請求項１〜７のいずれか１項に記載の金属ケーブルにより補強されたゴム配合物を有する複合ファブリックを有するカーカス補強体を有することを特徴とする重車両用タイヤのようなタイヤ。
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
ａ）  透明性熱可塑性物質およびラッカーからなる群から選択された基剤、および少なくとも１つのＵＶ吸収剤を含有するレイヤーＡ、
ｂ）  透明性熱可塑性物質および少なくとも１つの着色剤を含有するレイヤーＢ、および
ｃ）  透明性熱可塑性物質を含有するレイヤーＣ
を包含する多層物品。
【請求項２】
レイヤーＡ、ＢおよびＣの共押出を包含する請求項１に記載の多層物品の製造方法。
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
積層体の組立体であって、前記積層体のそれぞれは、前主面および後主面ならびに周辺端部を有するグラフィック部分と、前記グラフィック部分の前記後主面に沿った感圧接着剤層とを含み、前記積層体中の前記グラフィック部分は、前記接着剤層によって所定の相対的方向で基材に接着されて前記基材上に所定の形状を有するグラフィックを形成するように構成され、
前記積層体のそれぞれは、互いに反対側にある外主面および内主面を有すると共に前記グラフィック部分を覆う独立したポリマーカバーシートと、互いに反対側にある前主面および後主面を有する取り外し可能な感圧接着剤層とをさらに含み、前記取り外し可能な感圧接着剤層は、前記カバーシートの前記内主面と同延であり且つ前記カバーシートの前記内主面と強固に接着される後面と、前記グラフィック部分の前記前面に取り外し可能に接着される前面とを有し、
前記カバーシートは、前記グラフィック部分が前記所定の相対的方向にある場合にのみ端部間係合が起こるように成形された不規則であり目視で区別可能な係合端部を有し、
前記カバーシート上の前記係合端部は、前記グラフィック部分の隣接する周囲端部を少なくとも０．０５インチまたは０．１３ｃｍだけ越えて延在することで、前記グラフィック部分が保護され、前記係合端部が前記端部間係合の状態の場合に前記グラフィック部分の間に所定の間隙が形成される組立体。
【請求項２】
前記グラフィックが細長い形状であり、前記組立体が、所定の相対的方向で基材に接着することで前記所定の形状を有する前記グラフィックを形成するように構成したグラフィック部分を含む少なくとも３つの積層体を含み、前記３つのグラフィック部分は、互いに反対側に同一の形状の末端を有する中央グラフィック部分と、前記中央グラフィック部分の互いに反対側にある同一の末端で、前記末端グラフィック部分の前記第１の末端が前記中央グラフィック部分の同一の末端と隣接した状態で前記基材と接着するように構成した、第１および第２の末端を有する１対の実質的に同一の末端グラフィック部分とを含み、
前記積層体の前記カバーシートが、前記中央グラフィック部分の前記同一の端部と隣接する、同一の不規則であり目視で区別可能な係合端部を有する前記中央グラフィック部分を含み、前記積層体の前記カバーシートが、実質的に同一である前記対の末端グラフィック部分を含み、前記カバーシートの前記同一の不規則な係合端部を前記中央グラフィック部分と接着させる端部間係合に適合した前記末端グラフィック部分の前記第１の末端と隣接する第１の不規則であり目視で区別可能な係合端部を有する、請求項１に記載の組立体。
【請求項３】
前記グラフィックが細長い形状であり、前記組立体は、所定の相対的方向で基材に接着することで前記所定の形状を有する前記グラフィックを形成するように構成したグラフィック部分を含む少なくとも４つの積層体を含み、前記４つのグラフィック部分は、１対の実質的に同一の中央グラフィック部分であって、第１および第２の末端を有し、前記第１の末端が前記グラフィックの中央で隣接して前記基材に接着するように構成した１対の中央グラフィック部分と、１対の実質的に同一の末端グラフィック部分であって、第１および第２の末端を有し、前記末端グラフィック部分の前記第１の末端が前記中央グラフィック部分の前記第２の末端と隣接して、前記中央グラフィック部分の互いに反対側ある末端で前記基材に接着するように構成した１対の末端グラフィック部分とを有し、
前記積層体の前記カバーシートは、実質的に同一である前記対の中央グラフィック部分を含み、互いに端部間で係合するために適合した前記中央グラフィック部分の前記第１の末端に隣接する第１の不規則であり目視で区別可能な係合端部を有し、そして前記中央グラフィック部分の第２の末端と隣接する反対側にある第２の不規則であり目視で区別可能な係合端部を有し、前記積層体の前記カバーシートは、実質的に同一である前記対の末端グラフィック部分を含み、前記対の中央グラフィック部分と接着されるいずれかの前記カバーシートの前記第２の不規則な係合端部と端部間で係合するように構成した、前記末端グラフィック部分の前記第１の末端と隣接する第１の不規則であり目視で区別可能な係合端部を有し、前記対の中央グラフィック部分を含む前記積層体の前記カバーシートの前記第１の不規則であり目視で区別可能な係合端部は、前記対の中央グラフィック部分を含む前記積層体の前記カバーシートの前記第２の不規則な係合端部、および前記対の末端グラフィック部分を含む前記積層体の前記カバーシートの前記第１の不規則な係合端部とは異なり、目視により容易に区別可能である、請求項１に記載の組立体。
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
（ｉ）オレフィン−ビニルカルボン酸コポリマーのイオノマーから形成された、１５０μｍ以下の厚さを有するポリマーフィルムと、（ｉｉ）前記ポリマーフィルムの第１の側面上において、酸基を含有するポリウレタンと架橋剤との架橋反応生成物を含む架橋ポリウレタン層と、（ｉｉｉ）前記第１の側面の反対側の、前記ポリマーフィルムの第２の側面上において、接着剤層と、を含む多層シート。
【請求項２】
前記酸基を有するポリウレタンが、ポリカーボネートポリオールまたはポリカーボネートポリアミンと脂肪族ポリイソシアネートとの反応生成物を含む、ポリカーボネートをベースとするポリウレタンを含む、請求項１に記載の多層シート。
【請求項３】
前記架橋ポリウレタン層が、１０μｍ以下の平均粒度を有する艶消し剤を含む、請求項１に記載の多層シート。
【請求項４】
前記ポリマーフィルムが、エチレン／アクリル酸コポリマーまたはエチレン／メタクリル酸コポリマーのイオノマーから形成される、請求項１〜３のいずれか一項に記載の多層シート。
【請求項５】
前記接着剤層が、通常粘着性の感圧接着剤層を含む、請求項１〜３のいずれか一項に記載の多層シート。
【請求項６】
前記酸基を有するポリウレタンが、少なくとも１５ｍｇ  ＫＯＨ／ｇの酸価を有する、請求項１〜３のいずれか一項に記載の多層シート。
【請求項７】
自動車のドアポストまたはウインドウポストに取り付けられて用いられる請求項１〜６のいずれか一項に記載の多層シート。
【請求項８】
（ａ）オレフィン−ビニルカルボン酸コポリマーのイオノマーから形成された、１５０μｍ以下の厚さを有するポリマーフィルムを提供する工程と、
（ｂ）前記ポリマーフィルムの第１の側面に、酸基を含有するポリウレタンと架橋剤とを含む組成物を適用する工程と、
（ｃ）前記第１の側面の反対側の、前記ポリマーフィルムの第２の側面に、接着剤層を適用する工程と、
（ｄ）前記ポリウレタン層を架橋させる工程と、
を含む、多層シートの製造方法。
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
自浄グレイジングシートであって、基材、基材の表面上の親水性被膜、及び基材の温度を上昇させるための加熱手段を含むことを特徴とする自浄グレイジングシート。
【請求項２】
加熱手段が受動的な加熱手段を含む請求項１記載の自浄グレイジングシート。
【請求項３】
加熱手段が、基材の温度を上昇させるために、入射する輻射エネルギーを用いるための手段を含む請求項１又は２記載の自浄グレイジングシート。
【請求項４】
加熱手段がグレイジングシートの他の表面上の熱反射被膜を含む請求項１〜３のいずれか一項記載の自浄グレイジングシート。
【請求項５】
加熱手段がシートの表面上の熱吸収被膜を含む請求項１〜４のいずれか一項記載の自浄グレイジングシート。
【請求項６】
基材が色付きガラスである請求項１〜５のいずれか一項記載の自浄グレイジングシート。
【請求項７】
基材が０．１５又はそれよりも高い直接太陽熱吸収を持つ請求項１〜６のいずれか一項記載の自浄グレイジングシート。
【請求項８】
親水性被膜が光触媒的に活性な被膜を含む請求項１〜７のいずれか一項記載の自浄グレイジングシート。
【請求項９】
自浄グレイジングシートであって、表面上の光触媒的に活性な被膜を持つ色付きガラス基材を含むことを特徴とする自浄グレイジングシート。
【請求項１０】
複合的なグレイジング単位であって、請求項１〜９のいずれか一項記載の自浄グレイジングシート及び自浄グレイジングシートに対向する方向における第２のグレイジングシートを含むことを特徴とする複合的なグレイジング単位。
【請求項１１】
複合的なグレイジング単位であって、自浄グレイジングシート、自浄グレイジングシートに対向する方向における第２のグレイジングシート及び自浄グレイジングシートの温度を上昇させるための加熱手段を含むことを特徴とする複合的なグレイジング単位。
【請求項１２】
加熱手段が、第２のグレイジングシートの表面上の熱反射被膜を含む請求項１１記載の複合的なグレイジング単位。
【請求項１３】
積層物であって、自浄グレイジングシートの第１のプライ、第２のガラスプライ及びプラスチック中間層及び積層物の温度を上昇させるための加熱手段を含むことを特徴とする積層物。
【請求項１４】
窓であって、請求項１〜９のいずれか一項記載の自浄グレイジングシート、請求項１１又は１２記載の複合的なグレイジング単位又は請求項１３記載の積層物を含むことを特徴とする窓。
【請求項１５】
窓であって、自浄グレイジングシートを含んでおり、窓が、それと関連して、窓上の空気の流れを減少させるために配置される気流低減手段を持つことを特徴とする窓。
【請求項１６】
気流低減手段が少なくとも１種の調節装置を含む請求項１５記載の窓。
【請求項１７】
気流低減手段が少なくとも１種の風そらせ板を含む請求項１５又は１６記載の窓。
【請求項１８】
建物用の面であって、複数の請求項１〜９のいずれか一項記載の自浄グレイジングシート、複数の請求項１１又は１２記載の複合的なグレイジング単位又は複数の請求項１３記載の積層物を含むことを特徴とする建物用面。
【手続補正２】
【補正対象書類名】明細書
【補正対象項目名】００４０
【補正方法】変更
【補正の内容】
【００４０】
例１６〜３３
表９及び１０中の例１６〜３３は、風速を変化させることで、２重のグレイジング単位中の澄んだガラス（例１６〜２４）又は濃緑色ガラス（例２５〜３３）基材上の自浄グレイジングシートの温度に及ぼす影響を示す。各単位中の第２グレイジングシートは澄んだ６mmの厚さのガラス、12.7mmの空隙から成る。温度の算出に用いる他の条件は、ISO又はASHRAE夏条件に対応する。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
ガスケット材料を基材から除去する方法であって、
第１の主面を有するスクリムと、
第１および第２の主面を有する不織三次元繊維状ウェブと、
繊維状ウェブの第２の主面に固定された作業面を有する研磨層と
を含み、作業面を有する研磨製品を提供するステップと、
少なくとも一部の研磨製品作業面を除去するガスケット材料に摩擦によってかみ合わせるステップと、
研磨製品と除去するガスケット材料との間に相対運動を引き起こして少なくとも一部のガスケット材料を除去するステップと
を含み、
繊維状ウェブの第１の主面がスクリムの第１の主面にニードルタックされ、
研磨層がバインダーおよび複数のフェノール粒子を含み、
作業面のフェノール粒子が６μｍよりも大きい研磨粒子を含まない、方法。
【請求項２】
ガスケット材料を基材から除去する方法であって、
付着する作業面を有する研磨ディスクを有する回転式シャフトを含む動力駆動の研磨装置を提供するステップと、
回転式シャフトが回転するように動力駆動の研磨装置にエネルギー供給するステップと、
少なくとも一部のガスケット材料が除去されるように少なくとも一部の回転研磨ディスク作業面と除去するガスケット材料とを摩擦によってかみ合わせるステップと
を含み、
研磨製品が、
第１の主面を有するスクリムと、
第１および第２の主面を有する不織三次元繊維状ウェブと、
繊維状ウェブの第２の主面に固定された作業面を有する研磨層と
を含み、
繊維状ウェブの第１の主面がスクリムの第１の主面にニードルタックされ、
研磨層がバインダーおよび複数のフェノール粒子を含み、
作業面のフェノール粒子が６μｍよりも大きい研磨粒子を含まない、方法。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
バインダーを含むテクスチャー加工された表面と、前記テクスチャー加工された表面に対向する第２の表面とを含む研磨層であって、その研磨層の中を通って延在している第１のチャネルを有する研磨層と、
前記研磨層の前記第２の表面と関連している第１のバッキング表面と第２のバッキング表面とを有するバッキングであって、そのバッキングを通って延在しかつ前記第１のチャネルと共延在していている第２のチャネルを含むバッキングとを含み、
前記第１のチャネルおよび前記第２のチャネルが互いに、前記研磨層の前記テクスチャー加工された表面が研磨物品を通る視線から外れるような寸法となっている、導電性材料の蒸着および機械研磨に好適な研磨物品。
【請求項２】
前記テクスチャー加工された表面が複数の研磨複合体を含む、請求項１に記載の研磨物品。
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
ロボット・アームによって移動可能であり、作動可能なエンド・エフェクタを有する医療機器と；
前記医療機器の移動を案内するように前記ロボット・アームに結合された制御装置と；
前記制御装置に結合され、その移動が前記医療機器の移動に影響を与え、手で把持するのに適しており、ハウジング、および前記作動可能なエンド・エフェクタの作動に影響を与えるように手でハンドルを把持する場合に、前記ハウジングに対して移動可能な把持器を含むと共に、処置に前記医療機器を使用して、前記医療機器の前記作動可能なエンド・エフェクタの作動をロックするように、手でハンドルを把持しながら手と係合可能なスイッチを有するハンドルとを備えることを特徴とする医療用ロボット・システム。
【請求項２】
前記医療機器が手首を備え、前記スイッチが前記手首の作動をロックすることを特徴とする請求項１に記載のシステム。
【請求項３】
前記エンド・エフェクタの作動が顎部を開口するステップを含み、前記スイッチが前記顎部をロックすることを特徴とする請求項１に記載のシステム。
【請求項４】
前記ハンドルはまた、入力を含み、システムの機能を制御するように手と係合可能であり、さらに複数の機能から１つの機能を選択することを可能にするグラフィカル・ユーザ・インターフェースを表示する画面を備えることを特徴とする請求項１に記載のシステム。
【請求項５】
前記把持器はさらに、手の指を受ける１対の溝を含み、前記ハンドル・ハウジングはさらに、手の親指を受ける１つの溝を含むことを特徴とする請求項４に記載のシステム。
【請求項６】
医療用ロボット・システムを制御する方法であって、
手でのハンドルの移動に応じてロボット・アームを連接させることによって医療機器をロボットで移動させるステップであって、前記医療機器は顎部を備える作動可能なエンド・エフェクタを有し、前記ハンドルはハウジング、手での把持に適した把持器、および手と係合可能なスイッチを有するステップと；
前記把持器が前記ハウジングに向かって移動するように、手で前記ハンドルを把持することによって前記顎部を作動させるステップと；
手で前記ハンドルを把持しこれを移動させながら、スイッチを手に係合させることによって、前記顎部の作動をロックするステップとを含むことを特徴とする方法。
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
少なくとも１つの主表面を有するバッキングと、少なくとも１つのバインダーにより該バッキングの前記主表面の１つの少なくとも一部分に結合された複数の砥粒とを含む被覆研磨材物品であって、該バインダーが、塩酸、クエン酸、硝酸、硫酸、酢酸、リン酸およびそれらの組み合わせからなる群より選択される酸と次式：
Ｈ２Ｎ−Ｒ−ＮＨ２
（式中、Ｒは、炭素原子３から１０のアルキレン基である）のジアミンとの塩の少なくとも１つから本質的になる単一触媒の存在下で硬化された尿素ホルムアルデヒド樹脂前駆体を含む被覆研磨材物品において、
該バインダーが、更に要すれば雲母及び粘土から選択される酸性充填材又は中性充填材の少なくとも１つを含み、該バインダーが、更に要すれば強化材を含み、該バインダーが、メークコート、サイズコート又はスーパーサイズコートとして存在し、そして該触媒が、該尿素ホルムアルデヒド樹脂前駆体と触媒との総乾燥重量を基準として、約１重量％から約２５重量％の量で存在する、被覆研磨材物品。
【請求項２】
複数の砥粒、ならびに尿素ホルムアルデヒド樹脂前駆体溶液と、塩酸、クエン酸、硝酸、硫酸、酢酸、リン酸およびそれらの組み合わせからなる群より選択される酸および次式：
Ｈ２Ｎ−Ｒ−ＮＨ２
（式中、Ｒは、炭素原子３から１０のアルキレン基である）のジアミンの塩の少なくとも１つから本質的になる単一触媒の溶液とを含むバインダーをバッキングの主表面に被覆する工程と、前記尿素ホルムアルデヒド樹脂前駆体を硬化する工程とを包含する、被覆研磨材物品の製造方法において、
該バインダーが、更に要すれば雲母及び粘土から選択される酸性充填材又は中性充填材の少なくとも１つを含み、該バインダーが、更に要すれば強化材を含み、該バインダーが、メークコート、サイズコート又はスーパーサイズコートとして存在し、そして該触媒が、該尿素ホルムアルデヒド樹脂前駆体と触媒との総乾燥重量を基準として、約１重量％から約２５重量％の量で存在する、方法。
【請求項３】
塩酸、クエン酸、硝酸、硫酸、酢酸、リン酸およびそれらの組み合わせからなる群より選択される酸と次式：
Ｈ２Ｎ−Ｒ−ＮＨ２
（式中、Ｒは、炭素原子３から１０のアルキレン基である）のジアミンとの塩の少なくとも１つから本質的になる単一触媒の存在下で硬化された尿素ホルムアルデヒド樹脂前駆体を含む研磨材製品における使用に適切なバインダーにおいて、
該バインダーが、更に要すれば雲母及び粘土から選択される酸性充填材又は中性充填材の少なくとも１つを含み、該バインダーが、更に要すれば強化材を含み、該バインダーが、メークコート、サイズコート又はスーパーサイズコートとして存在し、そして該触媒が、該尿素ホルムアルデヒド樹脂前駆体と触媒との総乾燥重量を基準として、約１重量％から約２５重量％の量で存在する、バインダー。